(57)【要約】【課題】メインアンテナの受信状態が悪化した場合でも、受信品質の劣化を防ぐことができるアンテナ切替式受信装置を提供すること。【解決手段】ＣＰＵ６は、第１のアンテナ１及び第２のアンテナ２のうちサブ側アンテナと位置付けられたアンテナの切替判定周期よりメイン側アンテナと位置付けられたアンテナの切替判定周期を長くし、サブ側アンテナと位置付けられたアンテナが継続して所定の時間以上選択されて使用されると、メイン側アンテナとサブ側アンテナの位置付けを変更し、サブ側アンテナと位置付けられていたアンテナがメイン側アンテナとしてより長い切替判定周期となるようにする。【選択図】図１
2007104035.tif 000002
【特許請求の範囲】
【請求項１】
第１のアンテナと、第２のアンテナと、前記第１のアンテナと前記第２のアンテナとを切り替えて選択されたアンテナにより受信した受信信号を出力するアンテナ切替手段と、前記受信信号の受信品質レベルを検出する受信品質検出手段と、前記受信品質レベルを閾値と比較してアンテナ切替の要否を判定する判定手段と、前記判定手段の判定結果に従って前記アンテナ切替手段の切替動作を制御する切替制御手段と、前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う切替判定周期設定手段と、前記第１のアンテナ及び前記第２のアンテナが選択されて使用された時間を計測する使用時間計測手段と、前記第２の切替判定周期が適用されているアンテナが継続して選択された時間が設定された時間を超えたとき前記第１の切替判定周期と前記第２の切替判定周期の適用を入れ替える切替判定周期入替手段とを備えることを特徴とするアンテナ切替式受信装置。
【請求項２】
前記第１の切替判定周期が適用されているアンテナが他方のアンテナに切り替えられた回数である切替回数を計数する切替回数カウント手段と、前記切替回数に応じて前記第１の切替判定周期を短く変更する切替判定周期変更手段とを備えることを特徴とする請求項１に記載のアンテナ切替式受信装置。
【請求項３】
第１のアンテナと、第２のアンテナと、前記第１のアンテナと前記第２のアンテナとを切り替えて選択されたアンテナにより受信した受信信号を出力するアンテナ切替手段と、前記受信信号の受信品質レベルを検出する受信品質検出手段と、前記受信品質レベルを閾値と比較してアンテナ切替の要否を判定する判定手段と、前記判定手段の判定結果に従って前記アンテナ切替手段の切替動作を制御する切替制御手段と、前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う切替判定周期設定手段と、前記第１のアンテナ及び前記第２のアンテナが選択されて使用された時間を計測する使用時間計測手段と、前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える切替判定周期入替手段とを備えることを特徴とするアンテナ切替式受信装置。
【請求項４】
前記第１の切替判定周期及び前記第２の切替判定周期の長い方の周期が適用されているアンテナが他方のアンテナに切り替えられた回数である切替回数を計数する切替回数カウント手段と、前記切替回数に応じて前記第１の切替判定周期及び前記第２の切替判定周期の長い方の周期を短く変更する切替判定周期変更手段とを備えることを特徴とする請求項１に記載のアンテナ切替式受信装置。
【請求項５】
前記切替制御手段に、前記第１のアンテナ及び前記第２のアンテナのいずれかを選択するように設定する初期設定手段を備えたことを特徴とする請求項１から請求項４のいずれかに記載のアンテナ切替式受信装置。
【請求項６】
アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う手順と、使用時間計測手段が前記第１のアンテナ及び前記第２のアンテナが選択されて使用された時間を計測する手順と、切替判定周期入替手段が前記第２の切替判定周期が適用されているアンテナが継続して選択された時間が設定された時間を超えたとき前記第１の切替判定周期と前記第２の切替判定周期の適用を入れ替える手順とを有するアンテナ切替プログラム。
【請求項７】
アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う手順と、使用時間計測手段が前記第１のアンテナ及び前記第２のアンテナが選択されて使用された時間を計測する手順と、切替判定周期入替手段が前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える手順とを有するアンテナ切替プログラム。
【請求項８】
複数のアンテナを切替選択して受信を行うアンテナ切替方法であって、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う手順と、使用時間計測手段が前記第１のアンテナ及び前記第２のアンテナが選択されて使用された時間を計測する手順と、切替判定周期入替手段が前記第２の切替判定周期が適用されているアンテナが継続して選択された時間が設定された時間を超えたとき前記第１の切替判定周期と前記第２の切替判定周期の適用を入れ替える手順とを有するアンテナ切替方法。
【請求項９】
複数のアンテナを切替選択して受信を行うアンテナ切替方法であって、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う手順と、使用時間計測手段が前記第１のアンテナ及び前記第２のアンテナが選択されて使用された時間を計測する手順と、切替判定周期入替手段が前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える手順とを有するアンテナ切替方法。
【発明の詳細な説明】
【技術分野】
【０００１】
本発明は、複数のアンテナを選択的に切り替えて、地上波デジタルテレビ放送のように連続したビット列の信号を受信するアンテナ切替式受信装置に関するものである。
【背景技術】
【０００２】
従来の無線通信装置において、受信品質の劣化を防ぐために、干渉波やフェージングによる受信信号の特性劣化の少ない伝搬路を選択することが行われている。
【０００３】
この伝搬路の選択方法としては、ＴＤＭＡ（Time Division Multiple Access：時分割多元接続）方式の携帯電話などの無線通信装置においては、受信空きスロットもしくは送信スロットなどの空き時間に複数のアンテナを切り替えて、各アンテナでの受信電界レベルを検出して比較し、受信電界レベルが高いアンテナを選択して受信を行う方法がある。
【０００４】
また、ＣＤＭＡ（Code Division Multiple Access：符号分割多元接続）方式や地上波デジタルテレビ放送などの連続した受信動作を行う無線通信システムでは、ＴＤＭＡ方式のように受信空きスロットや送信スロットなどの空き時間を利用してアンテナの切替を行うことができないため、受信電界レベルに対してある閾値を設けて、受信電界レベルが閾値を下回った場合にアンテナを切り替えて受信する方法が知られている。
【０００５】
また、地上波デジタルテレビ放送のように連続したビット列の信号を受信している最中に、任意のタイミングでアンテナを切り替えると、受信信号が不連続となってビット列に誤りを発生させてしまい、エラー成分となって受信品質を劣化させてしまう。そのため、連続したビット列の信号を受信している最中にはアンテナの切替は頻繁に行えない。
【０００６】
このようなアンテナ切替式受信装置において、アンテナの切替を頻繁に行わないように抑制して受信品質の劣化を防止するようにしたものがある（例えば、特許文献１参照）。
【０００７】
図９は、このような従来のアンテナ切替式受信装置のブロック図である。
【０００８】
図９において、このアンテナ切替式受信装置は、第１のアンテナ１０１と、第２のアンテナ１０２と、第１のアンテナ１０１及び第２のアンテナ１０２を選択的に切り替え、第１のアンテナ１０１及び第２のアンテナ１０２のいずれかで受信した信号を出力するアンテナ切替部１０３と、アンテナ切替部１０３が出力する受信信号に受信処理を行う受信部１０４と、受信信号の受信品質レベルとなる、例えば受信電界レベルを検出する受信品質検出部１０５と、プログラムに従ってアンテナ切替動作及び受信装置の各部を制御するＣＰＵ（Central Processing Unit）１０６と、ＣＰＵ１０６が動作するためのプログラムを記憶しておくＲＯＭ（Read Only Memory）１０７と、動作する上で必要なデータや演算結果などを記憶するＲＡＭ（Random Access Memory）１０８とを備えている。
【０００９】
図１０は、このアンテナ切替式受信装置のアンテナ切替制御方法を説明するためのフローチャートである。
【００１０】
このアンテナ切替式受信装置では、受信電界レベルに所定の閾値レベルを設けて、アンテナが頻繁に切り替わることを抑制するために、アンテナを切り替える条件として、現状の受信電界レベルが閾値より小さく、かつ過去の受信電界レベルが閾値より大きいという条件（１）と、現状の受信電界レベルが閾値より小さく、かつ過去の受信電界レベルより所定の差分レベル以上に小さくなっているという条件（２）と、条件（１）又は条件（２）を満たしてアンテナを切り替えて、切替後のアンテナでの受信電界レベルが切替前の受信電界レベルよりも小さくなったという条件（３）とを設けて、選択されたアンテナにおける受信電界レベルが閾値より小さい場合にアンテナを切り替える判定条件を限定して、切替時のノイズ発生による受信品質の劣化を防いでいる。
【００１１】
また、アンテナを切り替えない条件として、現状の受信電界レベルが閾値より大きいという条件（４）と、現状の受信電界レベルが閾値より小さく、過去の受信電界レベルである基準レベルより大きくなったという条件（５）と、現状の受信電界レベルが閾値より小さく、過去の受信電界レベルである基準レベルより所定の差分レベル以上に小さくなっていないという条件（６）と、条件（１）又は条件（２）を満たしてアンテナを切り替えて、切替後のアンテナでの受信電界レベルが、切替前の受信電界レベルよりも大きくなったという条件（７）がある。
【００１２】
図１１は、このアンテナ切替式受信装置における第１のアンテナ１０１及び第２のアンテナ１０２の切替動作による受信電界レベルの変化を示す図である。
【００１３】
図１１において、横軸は時間経過を示し、縦軸は受信電界レベルの大きさを示しており、Ｌは複数のアンテナに対して共通とするアンテナの切替判定用の閾値レベル、Ｌ１は第１のアンテナ１０１で受信した受信電界レベル、Ｌ２は第２のアンテナ１０２で受信した受信電界レベル、Ｌ１及びＬ２上で太線の部分はアンテナが選択されて受信を行っているときの受信電界レベルを示している。
【００１４】
ｔ１，ｔ２，ｔ３，ｔ４，ｔ５，ｔ６，ｔ７，ｔ８，ｔ９は、切替判定及び切替動作が行われる割込タイミングを示している。点ａ，点ｂ，点ｃ，点ｄ，点ｅ，点ｇ，点ｈ，点ｉ，点ｊ，点ｋは、各時点での受信電界レベルを示しており、割込タイミングｔ５及びｔ７における点ｇ及び点ｉの受信電界レベルは、それぞれの切替判定の際の基準値レベルとなる点ｄ及び点ｇの受信電界レベルに対して、負方向に所定の差分Ｄ以上に小さくなっていることを示している。
【００１５】
次に、図１０及び図１１を用いて、このアンテナ切替式受信装置におけるアンテナ切替動作について説明する。
【００１６】
図１０において、ＣＰＵ１０６における通常ルーチン（Ｓ１００）が動作中あるいは待機している状態の時に、電波を受信したことを知らせる割込が発生した場合（Ｓ１０１）、まず、受信電界レベルＲを読み込み（Ｓ１０２）、アンテナ切替フラグがセットされているかどうかを判定する（Ｓ１０３）。
【００１７】
このアンテナフラグの初期値はクリアされているので、次に受信電界レベルＲが閾値レベルＬ以上かどうかを判定する（Ｓ１０４）。
【００１８】
この段階で図１１に示す第１のアンテナ１０１の受信電界レベルが点ａにある場合（ｔ０）、受信電界レベルＲが閾値レベルＬ以上であるので、受信電界レベルＲの値（点ａ）を基準レベルＳにセーブし（Ｓ１１２）アンテナ切替フラグをクリアして（Ｓ１１４）、割込処理ルーチンを終了し、通常ルーチン（Ｓ１００）に戻る。
【００１９】
次に、ｔ１で割込が発生した場合、第１のアンテナ１０１の受信電界レベルは点ｂ（閾値レベルＬより小さいレベル）にあるので、受信電界レベルＲを読み込み、アンテナ切替フラグはクリアされているので受信電界レベルＲが閾値レベルＬ以上かどうかを判定し（Ｓ１０２からＳ１０４）、受信電界レベルＲの値（点ｂ）は閾値レベルＬより小さいので、基準レベルＳが閾値レベルＬ以上かを判定する（Ｓ１０５）。
【００２０】
これまでの基準レベルＳには、ｔ０の時点で閾値レベルＬ以上の値（点ａ）がセーブされているため、受信電界レベルＲ（点ｂ）を基準レベルＳにセーブし（Ｓ１０８）、第１のアンテナ１０１から第２のアンテナ１０２にアンテナを切り替え（Ｓ１０９）、アンテナ切替フラグをセットして（Ｓ１１０）、割込処理ルーチンを終了し、通常ルーチン（Ｓ１００）に戻る。
【００２１】
次に、ｔ２で割込が発生し、受信電界レベルＲを読み込み（Ｓ１０２）、アンテナ切替フラグを判定し（Ｓ１０３）、アンテナ切替フラグがセットされているので、受信電界レベルＲ（点ｃ）が基準レベルＳ（点ｂ）より小さいかを判定する（Ｓ１１１）。この場合、ｔ１でセーブされた基準レベルＳ（点ｂ）より受信電界レベルＲ（点ｃ）は大きいので、受信電界レベルＲ（点ｃ）を基準レベルＳにセーブし（Ｓ１１２）、アンテナを切り替えないのでアンテナ切替フラグをクリアして（Ｓ１１４）、割込処理ルーチンを終了し、通常ルーチン（Ｓ１００）に戻る。
【００２２】
次に、ｔ３で割込が発生した場合、第２のアンテナ１０２の受信電界レベルは点ｄ（閾値レベルＬより小さいレベル）にあるので、受信電界レベルＲを読み込み、アンテナ切替フラグはクリアされているので、受信電界レベルＲが閾値レベルＬ以上かどうかを判定し、受信電界レベルＲ（点ｄ）は閾値レベルＬより小さく、基準レベルＳ（点ｃ）は閾値レベルＬより大きいので（Ｓ１０２からＳ１０５）、受信電界レベルＲ（点ｄ）を基準レベルＳにセーブし（Ｓ１０８）、第２のアンテナ１０２から第１のアンテナ１０１にアンテナを切り替え（Ｓ１０９）、アンテナ切替フラグをセットして（Ｓ１１０）、割込処理ルーチンを終了し、通常ルーチン（Ｓ１００）に戻る。
【００２３】
次に、ｔ４で割込が発生し、受信電界レベルＲを読み込み（Ｓ１０２）、アンテナ切替フラグを判定し（Ｓ１０３）、アンテナ切替フラグがセットされているので、受信電界レベルＲ（点ｅ）が基準レベルＳ（点ｄ）より小さいかを判定する（Ｓ１１１）。この場合、ｔ３でセーブされた基準レベルＳ（点ｄ）より受信電界レベルＲ（点ｅ）は小さいので、第１のアンテナ１０１から第２のアンテナ１０２に切り替え（Ｓ１１３）、アンテナ切替フラグをクリアして（Ｓ１１４）、割込処理ルーチンを終了し、通常ルーチン（Ｓ１００）に戻る。
【００２４】
次に、ｔ５で割込が発生した場合、第２のアンテナ１０２の受信電界レベルは点ｇにあるので、受信電界レベルＲを読み込み、アンテナ切替フラグはクリアされているので受信電界レベルＲが閾値レベルＬ以上かどうかを判定し、受信電界レベルＲ（点ｇ）は閾値レベルＬより小さく、基準レベルＳ（点ｄ）は閾値レベルＬより小さいので（Ｓ１０２からＳ１０５）、受信電界レベルＲ（点ｇ）が基準レベルＳ（点ｄ）より大きいか判定し（Ｓ１０６）、受信電界レベルＲ（点ｇ）は基準レベルＳ（点ｄ）より小さいので、基準レベルＳ（点ｄ）と受信電界レベルＲ（点ｇ）の差が差分Ｄ以上か判定し（Ｓ１０７）、基準レベルＳ（点ｄ）と受信電界レベルＲ（点ｇ）の差が差分Ｄ以上なので、受信電界レベルＲ（点ｇ）を基準レベルＳにセーブし（Ｓ１０８）、第２のアンテナ２から第１のアンテナ１にアンテナを切り替え（Ｓ１０９）、アンテナ切替フラグをセットして（Ｓ１１０）、割込処理ルーチンを終了し、通常ルーチン（Ｓ１００）に戻る。
【００２５】
次に、ｔ６で割込が発生し、受信電界レベルＲを読み込み（Ｓ１０２）、アンテナ切替フラグを判定し（Ｓ１０３）、アンテナ切替フラグがセットされているので、受信電界レベルＲ（点ｈ）が基準レベルＳ（点ｇ）より小さいかを判定する（Ｓ１１１）。この場合、ｔ５でセーブされた基準レベルＳ（点ｇ）より受信電界レベルＲ（点ｈ）は小さいので、第１のアンテナ１０１から第２のアンテナ１０２に切り替え（Ｓ１１３）、アンテナ切替フラグをクリアして（Ｓ１１４）、割込処理ルーチンを終了し、通常ルーチン（Ｓ１００）に戻る。
【００２６】
次に、ｔ７で割込が発生した場合、第２のアンテナ１０２の受信電界レベルは点ｉにあるので、受信電界レベルＲを読み込み、アンテナ切替フラグはクリアされているので受信電界レベルＲが閾値レベルＬ以上かどうかを判定し、受信電界レベルＲ（点ｉ）は閾値レベルＬより小さく、基準レベルＳ（点ｇ）は閾値レベルＬより小さく、受信電界レベルＲ（点ｉ）は基準レベルＳ（点ｇ）より小さく、基準レベルＳ（点ｄ）と受信電界レベルＲ（点ｇ）の差が差分Ｄ以上なので（Ｓ１０２からＳ１０７）、受信電界レベルＲ（点ｉ）を基準レベルＳにセーブし（Ｓ１０８）、第２のアンテナ１０２から第１のアンテナ１０１にアンテナを切り替え（Ｓ１０９）、アンテナ切替フラグをセットして（Ｓ１１０）、割込処理ルーチンを終了し、通常ルーチン（Ｓ１００）に戻る。
【００２７】
次に、ｔ８で割込が発生し、受信電界レベルＲを読み込み（Ｓ１０２）、アンテナ切替フラグを判定し（Ｓ１０３）、アンテナ切替フラグがセットされているので、受信電界レベルＲ（点ｊ）が基準レベルＳ（点ｉ）より小さいかを判定する（Ｓ１１１）。この場合、ｔ７でセーブされた基準レベルＳ（点ｉ）より受信電界レベルＲ（点ｊ）は小さいので、第１のアンテナ１０１から第２のアンテナ１０２に切り替え（Ｓ１１３）、アンテナ切替フラグをクリアして（Ｓ１１４）、割込処理ルーチンを終了し、通常ルーチン（Ｓ１００）に戻る。
【００２８】
次に、ｔ９で割込が発生した場合、第２のアンテナ１０２の受信電界レベルは点ｋにあるので、受信電界レベルＲを読み込み、アンテナ切替フラグはクリアされているので受信電界レベルＲが閾値レベルＬ以上かどうかを判定し、受信電界レベルＲ（点ｋ）は閾値レベルＬより小さく、基準レベルＳ（点ｉ）は閾値レベルＬより小さく、受信電界レベルＲ（点ｋ）は基準レベルＳ（点ｉ）より大きいので（Ｓ１０２からＳ１０６）、受信電界レベルＲ（点ｋ）を基準レベルＳにセーブし（Ｓ１１５）、割込処理ルーチンを終了し、通常ルーチン（Ｓ１００）に戻る。
【００２９】
また、従来の無線通信装置では、複数のアンテナを使用して受信を行う場合には、優先して使用するアンテナの優先順位を重み付けにより設定して、複数のアンテナの中で最も性能のよいアンテナ、例えば利得の大きいアンテナは、高い受信電界レベルを得られる確率が大きいアンテナと考え、メインアンテナと位置付け、メインアンテナの予備的役割とするサブアンテナを設けて、複数のアンテナを選択的に切り替えて受信を行うことが知られている。
【特許文献１】特開平７−１３１３９６号公報
【発明の開示】
【発明が解決しようとする課題】
【００３０】
しかしながら、従来のアンテナ切替方法では、全てのアンテナを同じ基準で切替判定しているので、フェージングにより受信電界レベルが変動するような環境、例えば図１１のｔ３〜ｔ８のように、第１のアンテナ１０１の受信電界レベルと、第２のアンテナ１０２の受信電界レベルとが、ともに閾値以下であり、現在の受信電界レベルが過去の受信電界レベルよりも小さくなる状態が続くフェージング環境では、上述のアンテナを切り替える条件（２）の現状の受信電界レベルが閾値より小さく、過去の受信電界レベルより所定の差分レベル以上に小さくなった場合と、条件（３）の切替後のアンテナでの受信電界レベルが切替前の受信電界レベルよりも小さくなった場合とが、繰り返し発生することがあり、アンテナが頻繁に切り替わって受信品質を劣化させてしまうという問題があった。
【００３１】
また、携帯電話端末のような小型の無線通信装置は、複数のアンテナを備えており、例えば伸張状態と収納状態で性能が変わるホイップアンテナや、イヤホンのケーブルを利用した線状アンテナを用いており、アンテナの設定状態によっては周囲の影響を受けてアンテナの利得性能が劣化する状態が発生する。
【００３２】
例えば、伸張状態と収納状態で性能が変わるホイップアンテナでは、収納状態での受信利得は伸張状態のときよりも小さくなったり、線状アンテナでは、折り畳まれたり、巻かれたりして直線状態でない場合や、アンテナが人体や金属物に近接した状態では、アンテナの受信利得が劣化して本来の性能が得られない状態になる。
【００３３】
さらに、従来の無線通信装置において、複数のアンテナの中で、優先的に選択するように重み付けされたメインアンテナが、例えば周囲の影響によって本来の性能が得られずに受信状態を悪化させる状態になった場合、受信状態を悪化させてしまうメインアンテナを優先的に選択して、受信品質を劣化させてしまうという問題があった。
【００３４】
本発明は、従来の問題を解決するためになされたもので、メインアンテナの受信状態が悪化した場合でも、受信品質の劣化を防ぐことができるアンテナ切替式受信装置を提供することを目的とする。
【課題を解決するための手段】
【００３５】
本発明のアンテナ切替式受信装置は、第１のアンテナと、第２のアンテナと、前記第１のアンテナと前記第２のアンテナとを切り替えて選択されたアンテナにより受信した受信信号を出力するアンテナ切替手段と、前記受信信号の受信品質レベルを検出する受信品質検出手段と、前記受信品質レベルを閾値と比較してアンテナ切替の要否を判定する判定手段と、前記判定手段の判定結果に従って前記アンテナ切替手段の切替動作を制御する切替制御手段と、前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う切替判定周期設定手段と、前記第１のアンテナ及び前記第２のアンテナが選択されて使用された時間を計測する使用時間計測手段と、前記第２の切替判定周期が適用されているアンテナが継続して選択された時間が設定された時間を超えたとき前記第１の切替判定周期と前記第２の切替判定周期の適用を入れ替える切替判定周期入替手段とを備える構成を有している。
【００３６】
この構成により、第１の切替判定周期を適用されているアンテナが第２の切替判定周期を適用されているアンテナより長い時間選択され、第２の切替判定周期を適用されているアンテナが設定された時間を超えて継続して選択され続けると、第１の切替判定周期が適用されるようになり、他方のアンテナは第２の切替判定周期が適用されるようになる。したがって、閾値以上の受信品質レベルを得る確率が高いと推定されるアンテナが、より長い時間選択されることとなる。
【００３７】
さらに、前記第１の切替判定周期が適用されているアンテナが他方のアンテナに切り替えられた回数である切替回数を計数する切替回数カウント手段と、前記切替回数に応じて前記第１の切替判定周期を短く変更する切替判定周期変更手段とを備える構成とした。
【００３８】
この構成により、より長い時間選択されるアンテナが、閾値以上の受信品質レベルを得る確率が低いと推定される場合、選択される時間を短くされることとなる。
【００３９】
また、本発明のアンテナ切替式受信装置は、第１のアンテナと、第２のアンテナと、前記第１のアンテナと前記第２のアンテナとを切り替えて選択されたアンテナにより受信した受信信号を出力するアンテナ切替手段と、前記受信信号の受信品質レベルを検出する受信品質検出手段と、前記受信品質レベルを閾値と比較してアンテナ切替の要否を判定する判定手段と、前記判定手段の判定結果に従って前記アンテナ切替手段の切替動作を制御する切替制御手段と、前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う切替判定周期設定手段と、前記第１のアンテナ及び前記第２のアンテナが選択されて使用された時間を計測する使用時間計測手段と、前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える切替判定周期入替手段とを備える構成を有している。
【００４０】
この構成により、第１のアンテナ及び第２のアンテナのいずれか一方が他方より長い時間選択され、より短い時間選択されているアンテナが設定された時間を超えて継続して選択され続けると、長い方の切替判定周期が適用されるようになり、他方のアンテナは短い方の切替判定周期が適用されるようになる。したがって、閾値以上の受信品質レベルを得る確率が高いと推定されるアンテナが、より長い時間選択されることとなる。
【００４１】
さらに、前記第１の切替判定周期及び前記第２の切替判定周期の長い方の周期が適用されているアンテナが他方のアンテナに切り替えられた回数である切替回数を計数する切替回数カウント手段と、前記切替回数に応じて前記第１の切替判定周期及び前記第２の切替判定周期の長い方の周期を短く変更する切替判定周期変更手段とを備える構成とした。
【００４２】
この構成により、より長い時間選択されるアンテナが、閾値以上の受信品質レベルを得る確率が低いと推定される場合、選択される時間を短くされることとなる。
【００４３】
ここで、前記切替制御手段に、前記第１のアンテナ及び前記第２のアンテナのいずれかを選択するように設定する初期設定手段を備えた構成とした。
【００４４】
この構成により、初期設定時などに、第１のアンテナ及び第２のアンテナのいずれかを選択させるようにして、アンテナが頻繁に切り替わることを抑制して、受信品質の劣化を防ぐことができる。
【００４５】
また、本発明のアンテナ切替プログラムは、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う手順と、使用時間計測手段が前記第１のアンテナ及び前記第２のアンテナが選択されて使用された時間を計測する手順と、切替判定周期入替手段が前記第２の切替判定周期が適用されているアンテナが継続して選択された時間が設定された時間を超えたとき前記第１の切替判定周期と前記第２の切替判定周期の適用を入れ替える手順とを有する構成を有している。
【００４６】
この構成により、第１の切替判定周期を適用されているアンテナが第２の切替判定周期を適用されているアンテナより長い時間選択され、第２の切替判定周期を適用されているアンテナが設定された時間を超えて継続して選択され続けると、第１の切替判定周期が適用されるようになり、他方のアンテナは第２の切替判定周期が適用されるようになる。したがって、閾値以上の受信品質レベルを得る確率が高いと推定されるアンテナが、より長い時間選択されることとなる。
【００４７】
また、本発明のアンテナ切替プログラムは、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う手順と、使用時間計測手段が前記第１のアンテナ及び前記第２のアンテナが選択されて使用された時間を計測する手順と、切替判定周期入替手段が前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える手順とを有する構成を有している。
【００４８】
この構成により、第１のアンテナ及び第２のアンテナのいずれか一方が他方より長い時間選択され、より短い時間選択されているアンテナが設定された時間を超えて継続して選択され続けると、長い方の切替判定周期が適用されるようになり、他方のアンテナは短い方の切替判定周期が適用されるようになる。したがって、閾値以上の受信品質レベルを得る確率が高いと推定されるアンテナが、より長い時間選択されることとなる。
【００４９】
また、本発明のアンテナ切替方法は、複数のアンテナを切替選択して受信を行うアンテナ切替方法であって、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナ及び前記第２のアンテナの一方が選択されているとき前記判定手段による切替判定を行う周期である第１の切替判定周期及び他方のアンテナが選択されているとき前記判定手段による切替判定を行う周期であり前記第１の切替判定周期より短い周期である第２の切替判定周期を選択されているアンテナに応じて適用して切替判定を行う手順と、使用時間計測手段が前記第１のアンテナ及び前記第２のアンテナが選択されて使用された時間を計測する手順と、切替判定周期入替手段が前記第２の切替判定周期が適用されているアンテナが継続して選択された時間が設定された時間を超えたとき前記第１の切替判定周期と前記第２の切替判定周期の適用を入れ替える手順とを有する構成を有している。
【００５０】
この構成により、第１の切替判定周期を適用されているアンテナが第２の切替判定周期を適用されているアンテナより長い時間選択され、第２の切替判定周期を適用されているアンテナが設定された時間を超えて継続して選択され続けると、第１の切替判定周期が適用されるようになり、他方のアンテナは第２の切替判定周期が適用されるようになる。したがって、閾値以上の受信品質レベルを得る確率が高いと推定されるアンテナが、より長い時間選択されることとなる。
【００５１】
さらに、本発明のアンテナ切替方法は、複数のアンテナを切替選択して受信を行うアンテナ切替方法であって、アンテナ切替手段が第１のアンテナと第２のアンテナとを切り替えて選択されたアンテナにより受信した受信信号を出力する手順と、受信品質検出手段が前記受信信号の受信品質レベルを検出する手順と、判定手段が前記受信品質レベルを閾値と比較してアンテナ切替の要否を判定する手順と、切替制御手段が前記判定手段の判定結果に従って前記アンテナ切替手段の切替動作を制御する手順と、切替判定周期設定手段が前記第１のアンテナが選択されているとき前記判定手段による切替判定を行う周期である第１の切替判定周期及び前記第２のアンテナが選択されているとき前記判定手段による切替判定を行う周期である第２の切替判定周期の一方を他方より長い周期とし選択されているアンテナに応じて適用して切替判定を行う手順と、使用時間計測手段が前記第１のアンテナ及び前記第２のアンテナが選択されて使用された時間を計測する手順と、切替判定周期入替手段が前記第１の切替判定周期及び前記第２の切替判定周期の短い方の周期が適用されているアンテナが継続して選択された時間が設定された時間を超えたとき前記第１の切替判定周期と前記第２の切替判定周期の値を入れ替える手順とを有する構成を有している。
【００５２】
この構成により、第１のアンテナ及び第２のアンテナのいずれか一方が他方より長い時間選択され、より短い時間選択されているアンテナが設定された時間を超えて継続して選択され続けると、長い方の切替判定周期が適用されるようになり、他方のアンテナは短い方の切替判定周期が適用されるようになる。したがって、閾値以上の受信品質レベルを得る確率が高いと推定されるアンテナが、より長い時間選択されることとなる。
【発明の効果】
【００５３】
本発明によれば、第１のアンテナ及び第２のアンテナのいずれか一方を他方より長い時間選択されるようにし、短い時間しか選択されないアンテナが設定された時間を超えて継続して使用されたときは、選択される時間を入れ替えているので、閾値以上の受信品質レベルを得る確率が高いと推定されるアンテナを長い時間選択することができ、受信品質の劣化を防ぐことができる。
【発明を実施するための最良の形態】
【００５４】
以下、本発明の実施の形態について、図面を参照して説明する。
【００５５】
（第１の実施の形態）
図１は本発明の第１の実施の形態のアンテナ切替式受信装置を示すブロック図である。本実施の形態のアンテナ切替式受信装置は、地上波デジタルテレビ放送を受信する携帯受信装置である。この地上波デジタルテレビ放送の変調方式は、複数のキャリアを利用したマルチキャリアの変調方式であるＯＦＤＭ（Orthogonal Frequency Division Multiplex）変調方式が使われている。
【００５６】
図１において、本実施の形態のアンテナ切替式受信装置は、第１のアンテナ１と、第２のアンテナ２と、例えば高周波スイッチなどからなり、選択的にアンテナ切替を行い、第１のアンテナ１又は第２のアンテナ２のいずれかで受信した受信信号を出力するアンテナ切替部３と、アンテナ切替部３が出力する受信信号から地上波デジタルテレビ放送のＯＦＤＭ変調信号を復調して、ＭＰＥＧ２（Moving Picture Experts Group phase 2）のフォーマットに従ったＭＰＥＧ２のストリーム形式（１８８Ｂｙｔｅ）にデータを復調して出力する受信部４と、第１のアンテナ１又は第２のアンテナ２から受信した受信信号の受信品質レベルを検出する受信品質検出部５と、プログラムに従ってアンテナ切替動作及び受信装置の各部を制御するＣＰＵ６と、ＣＰＵ６が動作するためのプログラムを記憶しておくＲＯＭ７と、動作する上で必要なデータや演算結果などを記憶するＲＡＭ８とを備えている。
【００５７】
本実施の形態のアンテナ切替式受信装置は、受信状態に応じて第１のアンテナ１及び第２のアンテナ２のいずれか一方がメイン側アンテナ、他方がサブ側アンテナとして位置付けられ、メイン側アンテナ及びサブ側アンテナの位置付けが固定されるものではない。この各アンテナの位置付けの状態はＲＡＭ８内に記憶されていて、必要に応じて参照される。
【００５８】
ＣＰＵ６は、プログラムにより、選択されているアンテナの位置付けに応じて切替判定を行う周期を設定する切替判定周期設定部６１、受信品質検出部５が検出した受信品質レベルに基づいてアンテナ切替を行うかを判定する判定部６２、選択されたアンテナが使用されている時間をカウントする使用時間カウント部６３、使用時間カウント部６３がカウントした使用時間に基づいてサブ側アンテナとメイン側アンテナの切替判定の周期を入れ替える切替判定周期入替部６４、アンテナ切替部３を制御してアンテナ切替を行わせる切替制御部６５、として動作する。
【００５９】
第１のアンテナ１は、例えば伸張状態や収納状態などの設定状態が変更可能なアンテナであり、設定状態によってアンテナの周波数特性や受信利得などの性能が変わるものである。
【００６０】
本実施の形態のアンテナ切替式受信装置では、第１のアンテナ１が伸張状態に設定されている場合は、第１のアンテナ１の性能、例えばアンテナの受信利得は第２のアンテナ２よりも良い。また、第１のアンテナ１が収納状態に設定されている場合は、第１のアンテナ１の性能は第２のアンテナ２よりも悪いものとする。
【００６１】
この場合、第１のアンテナ１の収納時には、第２のアンテナ２の方が性能が良いため、第１のアンテナ１を使用し受信を行った際の受信品質レベルは、第２のアンテナ２を使用した場合よりも悪い可能性が高い。
【００６２】
受信品質検出部５は、受信信号の受信品質レベルを示すパラメータとして、例えば受信電界レベルを検出し、ＣＰＵ６からの要求により検出した受信電界レベルの情報を出力するようになっている。以下、メイン側アンテナに位置付けられたアンテナの受信電界レベルをＬｍ、サブ側アンテナに位置付けられたアンテナの受信電界レベルをＬｓとする。
【００６３】
切替判定周期設定部６１は、メイン側のアンテナを使用しているときの切替判定タイミングとなる第１の切替判定周期（以下、Ｔｍ）及びサブ側のアンテナを使用しているときの切替判定タイミングとなる第２の切替判定周期（以下、Ｔｓ）を設定する。
【００６４】
また、メイン側及びサブ側に位置付けられたアンテナ毎に切替判定を行う周期を任意に設定できるようになっており、例えば、第１の切替判定周期Ｔｍには４秒を設定し、第２の切替判定周期Ｔｓには１秒を設定して、メイン側のアンテナを使用して受信する期間がサブ側のアンテナよりも長くなるように、第１の切替判定周期Ｔｍ及び第２の切替判定周期Ｔｓを個別の値に設定できるようになっている。
【００６５】
判定部６２は、受信品質検出部５が検出した受信電界レベルであるＬｍ又はＬｓと、アンテナの切替判定に用いる閾値Ｌとを比較して、受信電界レベルが閾値Ｌよりも小さい場合にアンテナ切替を行うように判定する。
【００６６】
判定部６２は、例えば、第１のアンテナ１がメイン側アンテナとして位置付けられている場合には、受信品質検出部５が検出した第１のアンテナ１の受信電界レベルをＬｍとし、Ｌｍが閾値Ｌに設定された受信電界レベル、例えば−９０ｄＢｍより小さい場合には、サブ側アンテナとして位置付けられている第２のアンテナ２への切替を行うと判定し、切替制御部６５に切替動作を指示する。また、受信電界レベルＬｍが閾値Ｌの−９０ｄＢｍ以上の場合にはアンテナ切替は行わないと判定して、メイン側アンテナとして位置付けられている第１のアンテナ１を継続して選択し受信する。
【００６７】
使用時間カウント部６３は、第１のアンテナ１又は第２のアンテナ２のいずれかが選択されて受信を行った使用時間（以下、Ｔ）を計時して、サブ側アンテナとして位置付けられたアンテナの使用時間Ｔが所定の継続使用時間（以下、Ｔref）を超えたかを判定する。
【００６８】
使用時間カウント部６３は、切替制御部６５のアンテナ切替の通知を受け、使用時間Ｔのカウントを開始して、他方のアンテナへの切替の通知を受けるまでの時間をカウントする。他方のアンテナに切り替わった場合には、使用時間Ｔのカウントはリセットする。
【００６９】
また、使用時間カウント部６３は、サブ側アンテナに位置付けられたアンテナで計時された使用時間Ｔが、予め設定された継続使用時間Ｔref、例えば４秒を超えたときには、切替判定周期入替部６４へ使用時間Ｔが継続使用時間Ｔrefを超えたことを通知する。
【００７０】
ここで、継続使用時間Ｔrefの長さは、例えば、メイン側アンテナに位置付けられたアンテナを使用した際の切替判定タイミングとなる第１の切替判定周期Ｔｍ（例えば、４秒）以上とすれば、サブ側アンテナとして位置付けられたアンテナが継続して選択された使用時間Ｔが継続使用時間Ｔrefを超えた場合には、閾値以上の受信電界レベルを得る確率が、メイン側アンテナとして位置付けられているアンテナよりもサブ側アンテナとして位置付けられたアンテナの方が高いと推定できる。
【００７１】
切替判定周期入替部６４は、使用時間カウント部６３からのサブ側アンテナの使用時間Ｔが継続使用時間Ｔrefを超えたことを通知する信号を受けた場合、現在のメイン側アンテナとサブ側アンテナの位置付けを変更し、第１のアンテナ１及び第２のアンテナ２に適用される、第２の切替判定周期Ｔｓ（例えば、１秒）と第１の切替判定周期Ｔｍ（例えば、４秒）とを入れ替える。
【００７２】
ここで、例えば、継続使用時間Ｔrefを第１の切替判定周期Ｔｍ以上の長さの４秒とした場合、サブ側アンテナとして位置付けられた第２のアンテナ２が継続して使用された使用時間Ｔが継続使用時間Ｔref４秒を超えたときには、第２のアンテナ２の位置付けをサブ側アンテナからメイン側アンテナに入れ替え、第１のアンテナ１をメイン側アンテナからサブ側アンテナに入れ替えることにより、第２のアンテナ２に適用される切替判定周期を第２の判定周期Ｔｓから第１の判定周期Ｔｍに変更（例えば、１秒を４秒に変更）し、第１のアンテナ１に適用される切替判定周期を第１の判定周期Ｔｍから第２の判定周期Ｔｓの値に変更（例えば、４秒を１秒に変更）する。
【００７３】
図２は、本実施の形態のアンテナ切替式受信装置におけるアンテナ切替動作を説明するフローチャートである。なお、この処理は、ＣＰＵ６がＲＯＭ７及びＲＡＭ８内のプログラムに従って実行する。
【００７４】
図２に示すように、まず、選択されているアンテナがメイン側アンテナであるか判定する（Ｓ１１）。
【００７５】
メイン側アンテナが選択されていれば、使用時間Ｔのカウントを開始し（Ｓ１２）、切替判定周期として第１の切替判定周期Ｔｍを設定し（Ｓ１３）、第１の切替判定周期Ｔｍの間メイン側アンテナでの受信を行う（Ｓ１４）。
【００７６】
第１の切替判定周期Ｔｍが経過すると、受信品質検出部５が検出した受信電界レベルＬｍを読み込み（Ｓ１５）、受信電界レベルＬｍが閾値Ｌより小さいかを判定する（Ｓ１６）。
【００７７】
受信電界レベルＬｍが閾値Ｌ以上であれば、Ｓ１３に戻り、第１の切替判定周期Ｔｍを設定してメイン側アンテナでの受信を行う。
【００７８】
受信電界レベルＬｍが閾値Ｌより小さい場合、アンテナ切替部３にアンテナ切替の指示を出し（Ｓ１７）、使用時間Ｔのカウンタをリセットして（Ｓ１８）、Ｓ１１に戻って、選択されているアンテナの判定を行う。
【００７９】
Ｓ１１で、サブ側アンテナが選択されていれば、使用時間Ｔのカウントを開始し（Ｓ１９）、切替判定周期として第２の切替判定周期Ｔｓを設定し（Ｓ２０）、第２の切替判定周期Ｔｓの間サブ側アンテナでの受信を行う（Ｓ２１）。
【００８０】
第２の切替判定周期Ｔｓが経過すると、受信品質検出部５が検出した受信電界レベルＬｓを読み込み（Ｓ２２）、受信電界レベルＬｓが閾値Ｌより小さいかを判定する（Ｓ２３）。
【００８１】
受信電界レベルＬｓが閾値Ｌより小さい場合、アンテナ切替部３にアンテナ切替の指示を出し（Ｓ１７）、使用時間Ｔのカウンタをリセットして（Ｓ１８）、Ｓ１１に戻って、選択されているアンテナの判定を行う。
【００８２】
受信電界レベルＬｓが閾値Ｌ以上であれば、使用時間Ｔが継続使用時間Ｔref以上になったかを判定し（Ｓ２４）、使用時間が継続使用時間Ｔref以上であれば、アンテナの位置付けを変更し（Ｓ２５）、使用時間Ｔのカウンタをリセットして（Ｓ１８）、Ｓ１１に戻って、選択されているアンテナの判定を行う。
【００８３】
使用時間が継続使用時間Ｔrefを超えていなければ、Ｓ２０に戻り、第２の切替判定周期Ｔｓを設定してサブ側アンテナでの受信を行う。
【００８４】
図３は、本実施の形態のアンテナ切替式受信装置における受信電界レベルの変化を示す図である。
【００８５】
図３において、横軸は時間経過を示し、縦軸は受信電界レベルの大きさを示しており、メイン側及びサブ側のアンテナの切替判定用の閾値レベルＬは、例えば受信電界レベル−９０ｄＢｍを示している。また、Ｌ１は第１のアンテナ１で受信した受信電界レベル、Ｌ２は第２のアンテナ２で受信した受信電界レベル、Ｌ１及びＬ２上で太線の部分はアンテナが選択されて受信を行っているときの受信電界レベルを示している。
【００８６】
また、図３において、ｔ０，ｔ１，ｔ２，ｔ３，ｔ４，ｔ５，ｔ６，ｔ７，ｔ８，ｔ９，ｔ１０，ｔ１１，ｔ１２は、切替判定及び切替動作が行われるタイミングを示しており、点ａ，点ｂ，点ｃ，点ｆ，点ｌ，点ｍ，点ｎ，点ｏ，点ｐ，点ｑ，点ｒ，点ｕは、各時点での受信電界レベルを示している。
【００８７】
また、図３に示すＴｍは、メイン側アンテナと位置付けられたアンテナを使用した際の切替判定タイミングとなる第１の切替判定周期、例えば４秒を示し、Ｔｓは、サブ側アンテナと位置付けられたアンテナを使用した際の切替判定タイミングとなる第２の切替判定周期、例えば１秒を示し、Ｔrefは、継続使用時間、例えば４秒を示している。
【００８８】
また、ｔ５は、サブ側アンテナと位置付けられた第２のアンテナ２の使用時間Ｔが継続使用時間Ｔrefを超えたときであり、サブ側としたアンテナの位置付けをメイン側に、またメイン側としたアンテナの位置付けをサブ側に変更するタイミングを示している。
【００８９】
このタイミングｔ５において、サブ側アンテナとした第２のアンテナ２がメイン側に位置付け変更となるため、これまで用いていたサブ側アンテナの切替判定周期である第２の切替判定周期Ｔｓの１秒からメイン側アンテナの切替判定周期である第１の切替判定周期Ｔｍの４秒になる。また同様に、第１のアンテナ１がサブ側に位置付け変更となるため、これまで用いていたメイン側アンテナの切替判定周期である第１の切替判定周期Ｔｍの４秒からサブ側アンテナの切替判定周期である第２の切替判定周期Ｔｓの１秒になる。
【００９０】
次に、図２及び図３を用いて、本実施の形態のアンテナ切替式受信装置におけるアンテナ切替動作について説明する。
【００９１】
まず、ｔ０の時点で、ＣＰＵ６は、地上波デジタルテレビ放送の受信チャネルの設定を受信部４に指令し、受信開始前にアンテナ切替動作を開始する割込処理が発生すると、図２の処理が開始され、ＣＰＵ６は、選択されているアンテナがメイン側のアンテナであるかを判定する（Ｓ１１）。ここでは、受信開始時には予めメイン側アンテナと位置付けされたアンテナを優先して選択するようにしているので、メイン側アンテナが選択されている状態である。
【００９２】
メイン側のアンテナとした第１のアンテナ１が選択されているので、第１のアンテナを使用した使用時間Ｔのカウントを開始し（Ｓ１２）、メイン側アンテナの切替判定周期である第１の切替判定周期Ｔｍ（例えば、４秒）を設定し（Ｓ１３）、メイン側アンテナで切替判定周期Ｔｍの間受信を行う（Ｓ１４）。
【００９３】
切替判定周期Ｔｍが経過すると、ｔ１の時点となり、受信品質検出部５が検出した選択されているメイン側のアンテナとした第１のアンテナ１で受信した受信信号の受信電界レベルＬｍを読み込み（Ｓ１５）、Ｌｍが閾値レベルＬより小さいか判定する（Ｓ１６）。
【００９４】
ｔ１での受信電界レベルＬｍは点ｂであり、Ｌｍは閾値レベルＬより小さいので、アンテナ切替部３にメイン側アンテナとした第１のアンテナ１からサブ側アンテナとした第２のアンテナ２に切り替える指令をし（Ｓ１７）、使用時間Ｔのカウンタをリセットし（Ｓ１８）、Ｓ１１に戻り、選択されているアンテナがメイン側かを判定する。
【００９５】
サブ側アンテナである第２のアンテナ２が選択されているので、第２のアンテナ２を使用した使用時間Ｔのカウントを開始し（Ｓ１９）、サブ側アンテナの切替判定周期である第２の切替判定周期Ｔｓ（例えば、１秒）を設定し（Ｓ２０）、サブ側アンテナで切替判定周期Ｔｓの間受信を行う（Ｓ２１）。
【００９６】
切替判定周期Ｔｓが経過すると、ｔ２の時点となり、受信品質検出部５が検出した選択されているサブ側のアンテナとした第２のアンテナ２で受信した受信信号の受信電界レベルＬｓを読み込み（Ｓ２２）、Ｌｓが閾値レベルＬより小さいか判定する（Ｓ２３）。
【００９７】
ｔ２での受信電界レベルＬｓは点ｃであり、Ｌｓは閾値レベルＬより大きいので、使用時間Ｔが継続使用時間Ｔrefより小さいか判定し（Ｓ２４）、使用時間Ｔは継続使用時間Ｔrefより小さいので、Ｓ２０に戻り、切替判定周期Ｔｓを設定して、第２のアンテナ２を継続して選択して受信を行う。
【００９８】
ｔ３，ｔ４は、サブ側アンテナの切替判定周期Ｔｓの２サイクル目、３サイクル目のタイミングであり、ｔ３，ｔ４におけるサブ側アンテナとした第２のアンテナ２の受信電界レベル点ｆ，点ｌは閾値レベルＬより大きいレベルとなっている。
【００９９】
このため、ｔ２のときと同様に、使用時間Ｔの判定を行い、切替判定周期Ｔｓを設定し、切替判定周期ＴＳの間第２のアンテナ２で受信を行い、受信電界レベルＬｓの判定（Ｓ２４、Ｓ２０、Ｓ２１、Ｓ２２、Ｓ２３）を繰り返す。
【０１００】
ｔ５の時点では、使用時間Ｔがサブ側アンテナの切替判定周期Ｔｓの４サイクル目の４秒となり、継続使用時間Ｔrefの４秒以上となる。
【０１０１】
この段階で、サブ側アンテナとした第２のアンテナ２の受信電界レベルが切替条件を満たさず、メイン側アンテナの切替判定タイミングとなる第１の切替判定周期Ｔｍ以上とした継続使用時間Ｔref以上の時間継続して選択されているので、サブ側アンテナとした第２のアンテナ２は、閾値以上の受信電界レベルを得る確率がメイン側アンテナよりも高いと推定でき、閾値以上の受信電界レベルを得る確率が低いメイン側アンテナへ切り替わって受信状態を悪化させるような不要な切替を抑止するため、サブ側アンテナとした第２のアンテナ２の位置付けを、優先して選択するメイン側アンテナに変更し、メイン側アンテナとした第１のアンテナ１の位置付けをサブ側に変更する（Ｓ２５）。
【０１０２】
このため、第２のアンテナ２の切替判定周期にはメイン側アンテナの切替判定周期である第１の切替判定周期Ｔｍ（４秒）が使用され、第１のアンテナの切替判定周期にはサブ側アンテナの切替判定周期である第２の切替判定周期Ｔｓ（１秒）が使用されることになる。
【０１０３】
次に、使用時間Ｔのカウンタをリセットし（Ｓ１８）、Ｓ１１に戻り、選択されているアンテナがメイン側かを判定し（Ｓ１１）、第２のアンテナ２はメイン側アンテナに位置付けられたので、選択されているアンテナはメイン側アンテナと判定され、使用時間Ｔのカウントを開始し、メイン側アンテナの切替判定周期Ｔｍの間受信を行い、ｔ６の時点になり、受信電界レベルＬｍを検出し、閾値レベルＬと比較する（Ｓ１２からＳ１６）。
【０１０４】
ｔ６での受信電界レベルＬｍは点ｎであり、Ｌｍは閾値レベルＬより大きいので、アンテナの切替は行われず、メイン側アンテナとした第２のアンテナ２を継続して選択して、Ｓ１３に戻り、メイン側アンテナの切替判定周期Ｔｍの間受信を行い、ｔ７の時点になり、受信電界レベルＬｍを検出し、閾値レベルＬと比較する（Ｓ１３からＳ１６）。
【０１０５】
ｔ７での受信電界レベルＬｍは点ｏであり、Ｌｍは閾値レベルＬより小さいので、アンテナ切替部３にメイン側アンテナとした第２のアンテナ２からサブ側アンテナとした第１のアンテナ１に切り替える指令をし（Ｓ１７）、使用時間Ｔのカウンタをリセットし（Ｓ１８）、Ｓ１１へ戻り、選択されているアンテナがメイン側かを判定する。
【０１０６】
選択されている第１のアンテナ１は、サブ側アンテナとされているので、使用時間Ｔのカウントを開始し、サブ側アンテナの切替判定周期Ｔｓの間受信を行い、ｔ８の時点になり、受信電界レベルＬｓを検出し、閾値レベルＬと比較する（Ｓ１９からＳ２３）。
【０１０７】
ｔ８での受信電界レベルＬｓは点ｐであり、Ｌｓは閾値レベルＬより小さいので、アンテナ切替部３にサブ側アンテナとした第１のアンテナ１からメイン側アンテナとした第２のアンテナ２に切り替える指令をし（Ｓ１７）、使用時間Ｔのカウンタをリセットし（Ｓ１８）、Ｓ１１へ戻り、選択されているアンテナがメイン側かを判定する。
【０１０８】
選択されている第２のアンテナ２は、メイン側アンテナとされているので、使用時間Ｔのカウントを開始し、メイン側アンテナの切替判定周期Ｔｍの間受信を行い、ｔ９の時点になり、受信電界レベルＬｍを検出し、閾値レベルＬと比較する（Ｓ１２からＳ１６）。
【０１０９】
ｔ９での受信電界レベルＬｍは点ｑであり、Ｌｍは閾値レベルＬより小さいので、アンテナ切替部３にメイン側アンテナとした第２のアンテナ２からサブ側アンテナとした第１のアンテナ１に切り替える指令をし（Ｓ１７）、使用時間Ｔのカウンタをリセットし（Ｓ１８）、Ｓ１１へ戻り、選択されているアンテナがメイン側かを判定する。
【０１１０】
選択されている第１のアンテナ１は、サブ側アンテナとされているので、使用時間Ｔのカウントを開始し、サブ側アンテナの切替判定周期Ｔｓの間受信を行い、ｔ１０の時点になり、受信電界レベルＬｓを検出し、閾値レベルＬと比較する（Ｓ１９からＳ２３）。
【０１１１】
ｔ１０での受信電界レベルＬｓは点ｒであり、Ｌｓは閾値レベルＬより小さいので、アンテナ切替部３にサブ側アンテナとした第１のアンテナ１からメイン側アンテナとした第２のアンテナ２に切り替える指令をし（Ｓ１７）、使用時間Ｔのカウンタをリセットし（Ｓ１８）、Ｓ１１へ戻り、選択されているアンテナがメイン側かを判定する。
【０１１２】
選択されている第２のアンテナ２は、メイン側アンテナとされているので、使用時間Ｔのカウントを開始し、メイン側アンテナの切替判定周期Ｔｍの間受信を行い、ｔ１１の時点になり、受信電界レベルＬｍを検出し、閾値レベルＬと比較する（Ｓ１２からＳ１６）。
【０１１３】
ｔ１１での受信電界レベルＬｍは点ｕであり、Ｌｍは閾値レベルＬより大きく、アンテナの切替は行われず、メイン側アンテナとした第２のアンテナ２を継続して選択して、Ｓ１３に戻り、メイン側アンテナの切替判定周期Ｔｍの間受信を行い、ｔ１２の時点にななり、受信電界レベルＬｍを検出し、閾値レベルＬと比較する（Ｓ１３からＳ１６）。
【０１１４】
以上のように、本実施の形態によれば、第１のアンテナ１及び第２のアンテナ２のいずれか一方を優先して選択するメイン側のアンテナとし、他方をメイン側のアンテナの補完的役割としたサブ側のアンテナとし、メイン側のアンテナを使用した際の切替判定タイミングを第１の切替判定周期Ｔｍ、サブ側のアンテナを使用した際の切替判定タイミングを第２の切替判定周期Ｔｓとして個別に設けるとともに、第１の切替判定周期を第２の切替判定周期を長くしてメイン側のアンテナがより長く選択されるようにし、サブ側のアンテナが所定の継続使用時間Ｔref以上継続して選択され続けた場合、サブ側のアンテナとメイン側アンテナの位置付けを入れ替え、閾値以上の受信電界レベルを得られる確率が高いと推定されるサブ側のアンテナをメイン側のアンテナとして長く選択されるようにしているので、閾値以上の受信電界レベルを得る確率が低いメイン側アンテナへ切り替わって受信状態を悪化させるような不要な切替を抑制することができ、受信品質の劣化を防ぐことができる。
【０１１５】
なお、本実施の形態においては、アンテナの位置付けを変えて、適用される切替判定周期が入れ替わるようにしたが、切替判定周期の大小関係を入れ替えるように変更することによって、サブ側とメイン側の位置付けを変更するようにしてもよい。
【０１１６】
また、本実施の形態においては、２つのアンテナを用いた場合について説明したが、３つ以上のアンテナを用いた場合にも、各アンテナに順位付けをし、継続して選択され続けたアンテナの順位を変更するなどして、同様の効果が得られる。
【０１１７】
また、アンテナ切替直後の切替判定周期、図３のｔ１〜ｔ２、ｔ５〜ｔ６、ｔ７〜ｔ８、ｔ８〜ｔ９、ｔ９〜ｔ１０、ｔ１０〜ｔ１１の切替判定周期を、受信品質レベルが検出できる短い周期、例えば０．５秒とすることで、閾値以上の受信品質レベルを得ることができないアンテナを使用して受信する期間を短くすることができ、受信品質の劣化を防ぐことができる。
【０１１８】
また、本実施の形態においては、第１のアンテナ１も第２のアンテナ２も同じ閾値により切替判定を行ったが、別々の閾値を設けたり、状況に応じ複数の閾値を使うようにしてもよい。
【０１１９】
また、本実施の形態においては、切替判定周期経過後に受信電界レベルを検出して切替判定を行ったが、切替判定周期期間中に受信電界レベルを検出し、この期間に検出した受信電界レベルの平均値を閾値と比較して切替判定を行ってもよい。
【０１２０】
また、受信品質検出部５は、受信信号の受信品質レベルとなるパラメータとして受信電界レベルを検出するとしたが、例えば、Ｃ／Ｎ（Carrier to Noise ratio）、ビット誤り率、パケットエラー率、同期確立状態、受信率などを用いてもよい。
【０１２１】
パケットエラー率を検出する場合には、ＭＰＥＧ２ストリームデータの最小単位であるパケット毎にエラーがあるかどうかを検出する。
【０１２２】
図４は、ＭＰＥＧ２ストリームデータのパケットの構成を示す図である。ヘッダ部４Ｂｙｔｅとペイロード部１８４Ｂｙｔｅの計１８８Ｂｙｔｅで１パケットとなり、ヘッダ部の４Ｂｙｔｅのなかにエラー発生状態の情報となるトランスポートエラー表示ビットがある。
【０１２３】
トランスポートエラー表示ビットは、ＡＲＩＢ（Association of Radio Industries and Businesses）規格ＳＴＤ−Ｂ３２第３部・伝送信号の多重化方式に記載されているように、該ビットが１の場合には、該パケットに少なくとも１ビットの訂正不可能なエラーが存在することを示している。
【０１２４】
受信品質検出部５は、受信信号を復調して得られたエラー発生状態の情報となるトランスポートエラー表示ビットからエラーが発生したエラーパケット数を計数して、パケットエラー率（Packet Error Rate、以下ＰＥＲ）を算出する。例えば、１００パケットのうちにエラーパケット数が１である場合は、ＰＥＲは１％となる。受信品質検出部５は、ＣＰＵ６からの要求により、このＰＥＲを出力するようにする。
【０１２５】
また、本実施の形態のアンテナ切替式受信装置は、集積化されたＬＳＩ（Large-Scale Integration）又はモジュールで実現することもできる。
【０１２６】
（第２の実施の形態）
次に、図５は本発明の第２の実施の形態のアンテナ切替式受信装置を示す図である。なお、本実施の形態は、上述の第１の実施の形態と略同様に構成されているので、同様な構成には同一の符号を付して特徴部分のみ説明する。
【０１２７】
本実施の形態のアンテナ切替式受信装置は、メイン側アンテナを使用して閾値以上の受信電界レベルを得られず、サブ側アンテナに切り替わった回数をカウントして、この回数が所定の回数になったかを判定する切替回数カウント部６６と、切替回数カウント部６６からメイン側アンテナからサブ側アンテナに切り替わった回数が所定の回数になったことの通知を受けて、メイン側アンテナの切替判定タイミングとなる第１の切替判定周期Ｔｍを短く変更する切替判定周期変更部６７とを備え、メイン側アンテナからサブ側アンテナへ切り替わった回数が所定の回数になった場合、メイン側アンテナは閾値以上の受信品質レベルを得る確率が低く、さらに受信する期間（切替判定周期）がサブ側アンテナよりも長いため、受信状態を悪くする確立が高いと推定できるので、メイン側アンテナの切替判定周期を短くして、受信状態を安定させることを特徴としている。
【０１２８】
切替回数カウント部６６は、切替制御部６５からの切替の通知から、メイン側アンテナからサブ側アンテナへ切り替わった回数をカウントして、メイン側アンテナからサブ側アンテナへ切り替わった回数が所定の回数（例えば、３回）になったかを判定し、所定の回数になったときに切替判定周期変更部６７に通知する。
【０１２９】
切替判定周期変更部６７は、切替回数カウント部６６からメイン側アンテナからサブ側アンテナへ切り替わった回数が所定の回数になったことを通知されると、メイン側アンテナと位置付けられたアンテナを使用した際の切替判定タイミングとなる第１の切替判定周期Ｔｍ（例えば、４秒）を短い周期（例えば、２秒）に変更するように切替判定周期設定部６１に指示する。
【０１３０】
図６は、本実施の形態のアンテナ切替式受信装置におけるアンテナ切替動作を説明するフローチャートである。なお、この処理は、ＣＰＵ６がＲＯＭ７及びＲＡＭ８内のプログラムに従って実行する。
【０１３１】
図６に示すように、まず、上述の実施の形態と同様に、選択されているアンテナがメイン側アンテナであるか判定し、メイン側アンテナが選択されていれば、使用時間Ｔのカウントを開始し、第１の切替判定周期Ｔｍの間メイン側アンテナでの受信を行い、受信電界レベルＬｍが閾値Ｌより小さいかを判定する（Ｓ１１〜Ｓ１６）。
【０１３２】
受信電界レベルＬｍが閾値Ｌ以上であれば、第１の切替判定周期Ｔｍの値をリセットして元に戻し（Ｓ３１）、Ｓ１３に戻り、第１の切替判定周期Ｔｍを設定してメイン側アンテナでの受信を行う。
【０１３３】
受信電界レベルＬｍが閾値Ｌより小さい場合、メイン側アンテナからサブ側アンテナへ切り替わった回数Ｎが所定の回数Ｎref以上になったか判定し（Ｓ３２）、Ｎref以上であればメイン側アンテナの切替判定周期Ｔｍを短い周期に変更し（Ｓ３３）、その後上述の実施の形態同様、アンテナ切替部３にアンテナ切替の指示を出し（Ｓ１７）、使用時間Ｔのカウンタをリセットして（Ｓ１８）、Ｓ１１に戻って、選択されているアンテナの判定を行う。
【０１３４】
Ｓ１１で、サブ側アンテナが選択されていれば、上述の実施の形態同様、使用時間Ｔのカウントを開始し、第２の切替判定周期Ｔｓの間サブ側アンテナでの受信を行い、受信電界レベルＬｓが閾値Ｌより小さいかを判定する（Ｓ１９〜Ｓ２３）。
【０１３５】
受信電界レベルＬｓが閾値Ｌより小さい場合、アンテナ切替部３にアンテナ切替の指示を出し（Ｓ１７）、使用時間Ｔのカウンタをリセットして（Ｓ１８）、Ｓ１１に戻って、選択されているアンテナの判定を行う。
【０１３６】
受信電界レベルＬｓが閾値Ｌ以上であれば、使用時間Ｔが継続使用時間Ｔref以上になったかを判定し（Ｓ２４）、使用時間が継続使用時間Ｔref以上であれば、アンテナの位置付けを変更し（Ｓ２５）、使用時間Ｔのカウンタをリセットして（Ｓ１８）、Ｓ１１に戻って、選択されているアンテナの判定を行う。
【０１３７】
使用時間Ｔが継続使用時間Ｔrefを超えていなければ、Ｓ２０に戻り、第２の切替判定周期Ｔｓを設定してサブ側アンテナでの受信を行う。
【０１３８】
図７は、本実施の形態のアンテナ切替式受信装置における受信電界レベルの変化を示す図である。
【０１３９】
図７において、横軸は時間経過を示し、縦軸は受信電界レベルの大きさを示しており、メイン側及びサブ側のアンテナの切替判定用の閾値レベルＬは、例えば受信電界レベル−９０ｄＢｍを示している。また、Ｌ１は第１のアンテナ１で受信した受信電界レベル、Ｌ２は第２のアンテナ２で受信した受信電界レベル、Ｌ１及びＬ２上で太線の部分はアンテナが選択されて受信を行っているときの受信電界レベルを示している。
【０１４０】
図７において、ｔ０，ｔ１，ｔ２，ｔ３，ｔ４，ｔ５，ｔ６，ｔ７，ｔ８，ｔ９，ｔ１０，ｔ１１，ｔ１２，ｔ１３，ｔ１４，ｔ１５，ｔ１６，ｔ１７は、切替判定及び切替動作が行われるタイミングを示しており、点ａ，点ｂ，点ｃ，点ｄ，点ｅ，点ｆ，点ｇ，点ｈ，点ｉ，点ｊ，点ｋ，点ｌ，点ｍ，点ｎ，点ｏ，点ｐ，点ｑは、各時点での受信電界レベルを示している。
【０１４１】
また、図７に示すＴｍはメイン側アンテナと位置付けられたアンテナを使用した際の切替判定タイミングとなる第１の切替判定周期、例えば４秒を示し、Ｔｓはサブ側アンテナと位置付けられたアンテナを使用した際の切替判定タイミングとなる第２の切替判定周期、例えば１秒を示している。
【０１４２】
また、図７に示すＴｍ１は、メイン側アンテナからサブ側アンテナへ切り替わった回数Ｎが所定の回数Ｎref以上になって、メイン側アンテナの切替判定周期Ｔｍから短く変更された周期を示しており、例えば２秒とする。
【０１４３】
次に、図６及び図７を用いて、本実施の形態のアンテナ切替式受信装置におけるアンテナ切替動作について説明する。
【０１４４】
まず、ｔ０の時点で、ＣＰＵ６は、地上波デジタルテレビ放送の受信チャネルの設定を受信部４に指令し、受信開始前にアンテナ切替動作を開始する割込処理が発生すると、図６の処理が開始され、ＣＰＵ６は、選択されているアンテナがメイン側のアンテナであるかを判定する（Ｓ１１）。ここでは、受信開始時には予めメイン側アンテナと位置付けされたアンテナを優先して選択するようにしているので、メイン側アンテナが選択されている状態である。
【０１４５】
メイン側のアンテナとした第１のアンテナ１が選択されているので、第１のアンテナを使用した使用時間Ｔのカウントを開始し（Ｓ１２）、メイン側アンテナの切替判定周期である第１の切替判定周期Ｔｍ（例えば、４秒）を設定し（Ｓ１３）、メイン側アンテナで切替判定周期Ｔｍの間受信を行う（Ｓ１４）。
【０１４６】
切替判定周期Ｔｍが経過すると、ｔ１の時点となり、受信品質検出部５が検出した選択されたメイン側のアンテナとした第１のアンテナ１で受信した受信信号の受信電界レベルＬｍを読み込み（Ｓ１５）、Ｌｍが閾値レベルＬより小さいか判定する（Ｓ１６）。
【０１４７】
ｔ１での受信電界レベルＬｍは点ｂであり、Ｌｍは閾値レベルＬより大きいので、アンテナの切替は行われず、メイン側アンテナとした第１のアンテナ１を継続して選択し、メイン側アンテナの切替判定周期Ｔｍはリセットされて（Ｓ３１）、Ｓ１３に戻り、メイン側アンテナの切替判定周期Ｔｍの間受信を行い、ｔ２の時点になり、受信電界レベルＬｍを検出し、閾値レベルＬと比較する（Ｓ１３からＳ１６）。
【０１４８】
ｔ２での受信電界レベルＬｍは点ｃであり、Ｌｍは閾値レベルＬより小さいので、メイン側アンテナからサブ側アンテナへの切替回数Ｎが所定の回数Ｎref以上になったかを判定する（Ｓ３２）。ここで、ｔ２では、メイン側アンテナからサブ側アンテナへの切替回数Ｎは、例えば１回、所定の回数Ｎrefは、例えば３回とすると、切替回数Ｎは所定の回数Ｎref以上ではないので、アンテナ切替部３にメイン側アンテナとした第１のアンテナ１からサブ側アンテナとした第２のアンテナ２に切り替える指令をし（Ｓ１７）、使用時間Ｔのカウンタをリセットし（Ｓ１８）、Ｓ１１に戻り、選択されているアンテナがメイン側かを判定する。
【０１４９】
サブ側アンテナである第２のアンテナ２が選択されているので、第２のアンテナ２を使用した使用時間Ｔのカウントを開始し（Ｓ１９）、サブ側アンテナの切替判定周期である第２の切替判定周期Ｔｓ（例えば、１秒）を設定し（Ｓ２０）、サブ側アンテナで切替判定周期Ｔｓの間受信を行う（Ｓ２１）。
【０１５０】
切替判定周期Ｔｓが経過すると、ｔ３の時点となり、受信品質検出部５が検出した選択されているサブ側のアンテナとした第２のアンテナ２で受信した受信信号の受信電界レベルＬｓを読み込み（Ｓ２２）、Ｌｓが閾値レベルＬより小さいか判定する（Ｓ２３）。
【０１５１】
ｔ３での受信電界レベルＬｓは点ｄであり、Ｌｓは閾値レベルＬより小さいので、アンテナ切替部３にサブ側アンテナとした第２のアンテナ２からメイン側アンテナとした第１のアンテナ１に切り替える指令をし（Ｓ１７）、使用時間Ｔのカウンタをリセットし（Ｓ１８）、Ｓ１１に戻り、選択されているアンテナがメイン側かを判定する。
【０１５２】
メイン側アンテナである第１のアンテナ１が選択されているので、使用時間Ｔのカウントを開始し、メイン側アンテナの切替判定周期Ｔｍの間受信を行い、ｔ４の時点になり、受信電界レベルＬｍを検出し、閾値レベルＬと比較する（Ｓ１２からＳ１６）。
【０１５３】
ｔ４での受信電界レベルＬｍは点ｅであり、Ｌｍは閾値レベルＬより小さいので、メイン側アンテナからサブ側アンテナへの切替回数Ｎが所定の回数Ｎref以上になったかを判定する（Ｓ３２）。ここで、ｔ４では、メイン側アンテナからサブ側アンテナへの切替回数Ｎは２回であり、所定の回数Ｎrefの３回以上ではないので、アンテナ切替部３にメイン側アンテナとした第１のアンテナ１からサブ側アンテナとした第２のアンテナ２に切り替える指令をし（Ｓ１７）、使用時間Ｔのカウンタをリセットし（Ｓ１８）、Ｓ１１に戻り、選択されているアンテナがメイン側かを判定する。
【０１５４】
サブ側アンテナである第２のアンテナ２が選択されているので、使用時間Ｔのカウントを開始し、サブ側アンテナの切替判定周期Ｔｓの間受信を行い、ｔ５の時点になり、受信電界レベルＬｓを検出し、閾値レベルＬと比較する（Ｓ１９からＳ２３）。
【０１５５】
ｔ５での受信電界レベルＬｓは点ｆであり、Ｌｓは閾値レベルＬより大きいので、アンテナの切替は行われず、第２のアンテナ２を継続して選択し、使用時間Ｔが継続使用時間Ｔrefより小さいか判定し（Ｓ２４）、使用時間Ｔは継続使用時間Ｔrefより小さいので、Ｓ２０に戻り、切替判定周期Ｔｓを設定して、サブ側アンテナの切替判定周期Ｔｓの間受信を行い、ｔ６の時点になり、受信電界レベルＬｓを検出し、閾値レベルＬと比較する（Ｓ２０からＳ２３）。
【０１５６】
ｔ６での受信電界レベルＬｓは点ｇであり、Ｌｓは閾値レベルＬより大きいので、アンテナの切替は行われず、第２のアンテナ２を継続して選択し、使用時間Ｔが継続使用時間Ｔrefより小さいか判定し（Ｓ２４）、使用時間Ｔは継続使用時間Ｔrefより小さいので、Ｓ２０に戻り、切替判定周期Ｔｓを設定して、サブ側アンテナの切替判定周期Ｔｓの間受信を行い、ｔ７の時点になり、受信電界レベルＬｓを検出し、閾値レベルＬと比較する（Ｓ２０〜Ｓ２３）。
【０１５７】
ｔ７での受信電界レベルＬｓは点ｈであり、Ｌｓは閾値レベルＬより小さいので、アンテナ切替部３にサブ側アンテナとした第２のアンテナ２からメイン側アンテナとした第１のアンテナ１に切り替える指令をし（Ｓ１７）、使用時間Ｔのカウンタをリセットし（Ｓ１８）、Ｓ１１に戻り、選択されているアンテナがメイン側かを判定する。
【０１５８】
メイン側アンテナである第１のアンテナ１が選択されているので、使用時間Ｔのカウントを開始し、メイン側アンテナの切替判定周期Ｔｍの間受信を行い、ｔ８の時点になり、受信電界レベルＬｍを検出し、閾値レベルＬと比較する（Ｓ１２からＳ１６）。
【０１５９】
ｔ８での受信電界レベルＬｍは点ｉであり、Ｌｍは閾値レベルＬより小さいので、メイン側アンテナからサブ側アンテナへの切替回数Ｎが所定の回数Ｎref以上になったかを判定する（Ｓ３２）。ここで、ｔ８では、メイン側アンテナからサブ側アンテナへの切替回数Ｎは３回であり、所定の回数Ｎrefの３回以上となるので、メイン側の切替判定周期を第１の切替判定周期Ｔｍの４秒より短い切替判定周期Ｔｍ１、例えば２秒に変更し（Ｓ３３）、アンテナ切替部３にメイン側アンテナとした第１のアンテナ１からサブ側アンテナとした第２のアンテナ２に切り替える指令をし（Ｓ１７）、使用時間Ｔのカウンタをリセットし（Ｓ１８）、Ｓ１１に戻り、選択されているアンテナがメイン側かを判定する。
【０１６０】
サブ側アンテナである第２のアンテナ２が選択されているので、使用時間Ｔのカウントを開始し、サブ側アンテナの切替判定周期Ｔｓの間受信を行い、ｔ９の時点になり、受信電界レベルＬｓを検出し、閾値レベルＬと比較する（Ｓ１９からＳ２３）。
【０１６１】
ｔ９からｔ１１では、ｔ５、ｔ６と同様に、受信電界レベルＬｓは閾値レベルＬより大きく、アンテナの切替は行われず、第２のアンテナ２を継続して選択するので、説明は省略する。
【０１６２】
ｔ１２の時点になり、ｔ１２での受信電界レベルＬｓは点ｍであり、Ｌｓは閾値レベルＬより小さいので、アンテナ切替部３にサブ側アンテナとした第２のアンテナ２からメイン側アンテナとした第１のアンテナ１に切り替える指令をし（Ｓ１７）、使用時間Ｔのカウンタをリセットし（Ｓ１８）、Ｓ１１に戻り、選択されているアンテナがメイン側かを判定する。
【０１６３】
メイン側アンテナである第１のアンテナ１が選択されているので、使用時間Ｔのカウントを開始し（Ｓ１２）、ｔ８で変更されたメイン側アンテナの切替判定周期Ｔｍ１を設定し（Ｓ１３）、Ｔｍ１の間受信を行い、ｔ１３の時点になり、受信電界レベルＬｍを検出し、閾値レベルＬと比較する（Ｓ１４からＳ１６）。
【０１６４】
ｔ１３での受信電界レベルＬｍは点ｎであり、Ｌｍは閾値レベルＬより小さいので、メイン側アンテナからサブ側アンテナへの切替回数Ｎが所定の回数Ｎref以上になったかを判定する（Ｓ３２）。ここで、ｔ８において第１の切替判定周期がＴｍ１に変更され切替回数はリセットされているので、ｔ１３では、メイン側アンテナからサブ側アンテナへの切替回数Ｎは１回となり、所定の回数Ｎrefの３回以上ではないので、アンテナ切替部３にメイン側アンテナとした第１のアンテナ１からサブ側アンテナとした第２のアンテナ２に切り替える指令をし（Ｓ１７）、使用時間Ｔのカウンタをリセットし（Ｓ１８）、Ｓ１１に戻り、選択されているアンテナがメイン側かを判定する。
【０１６５】
サブ側アンテナである第２のアンテナ２が選択されているので、使用時間Ｔのカウントを開始し、サブ側アンテナの切替判定周期Ｔｓの間受信を行い、ｔ１４の時点になり、受信電界レベルＬｓを検出し、閾値レベルＬと比較する（Ｓ１９からＳ２３）。
【０１６６】
ｔ１４、ｔ１５の処理は、ｔ６、ｔ７の処理と同様となるので、説明は省略する。
【０１６７】
ｔ１６の時点になり、ｔ１６での受信電界レベルＬｍは点ｑであり、Ｌｍは閾値レベルＬより大きいので、アンテナの切替は行われず、第１のアンテナ１を継続して選択し、メイン側アンテナの切替判定周期を、Ｔｍ１（２秒）からＴｍ（４秒）にリセットし（Ｓ３１）、Ｓ１３に戻る。
【０１６８】
以上のように、本実施の形態によれば、メイン側アンテナからサブ側アンテナへ切り替わった回数が所定の回数になった場合、メイン側アンテナと位置付けられたアンテナを使用した際の切替判定タイミングとなる第１の切替判定周期Ｔｍを短い周期に変更しているので、閾値以上の受信電界レベルを得る確率が低く、さらに受信する期間がサブ側アンテナよりも長いメイン側アンテナとして位置付けられたアンテナの受信期間を短くして、受信品質の劣化を防ぐことができる。
【０１６９】
（第３の実施の形態）
次に、図８は本発明の第３の実施の形態のアンテナ切替式受信装置を示す図である。なお、本実施の形態は、上述の第１の実施の形態と略同様に構成されているので、同様な構成には同一の符号を付して特徴部分のみ説明する。
【０１７０】
本実施の形態のアンテナ切替式受信装置は、アンテナ切替動作のリセット時、例えば電源投入時などの任意のタイミングでアンテナ切替動作を初期状態にして、第１のアンテナ１及び第２のアンテナ２のうち、予めメイン側アンテナと位置付けられたアンテナを優先して選択させる初期設定部６８を備えることを特徴としている。
【０１７１】
本実施の形態においては、初期状態として、第１のアンテナ１及び第２のアンテナ２のうち、予めメイン側アンテナと位置付けられたアンテナが優先的に選択されるので、アンテナが頻繁に切り替わることを抑制して、受信品質の劣化を防ぐことができる。
【産業上の利用可能性】
【０１７２】
以上のように、本発明にかかるアンテナ切替式受信装置は、受信品質の劣化を防ぐことができるという効果を有し、複数のアンテナを選択的に切り替えるアンテナ切替式受信装置、特に地上波デジタルテレビ放送を受信する形態受信機等として有用である。
【図面の簡単な説明】
【０１７３】
【図１】本発明の第１の実施の形態におけるアンテナ切替式受信装置のブロック図
【図２】本発明の第１の実施の形態におけるアンテナ切替式受信装置の動作説明のためのフローチャート
【図３】本発明の第１の実施の形態におけるアンテナ切替式受信装置の受信電界レベルの変化を示す図
【図４】ＭＰＥＧ２のパケット構成図
【図５】本発明の第２の実施の形態におけるアンテナ切替式受信装置のブロック図
【図６】本発明の第２の実施の形態におけるアンテナ切替式受信装置の動作説明のためのフローチャート
【図７】本発明の第２の実施の形態におけるアンテナ切替式受信装置の受信電界レベルの変化を示す図
【図８】本発明の第３の実施の形態におけるアンテナ切替式受信装置のブロック図
【図９】従来のアンテナ切替式受信装置のブロック図
【図１０】従来のアンテナ切替式受信装置の動作説明のためのフローチャート
【図１１】従来のアンテナ切替式受信装置の受信電界レベルの変化を示す図
【符号の説明】
【０１７４】
１  第１のアンテナ
２  第２のアンテナ
３  アンテナ切替部
４  受信部
５  受信品質検出部
６  ＣＰＵ
６１  切替判定周期設定部
６２  判定部
６３  使用時間カウント部
６４  切替判定周期入替部
６５  切替制御部
６６  切替回数カウント部
６７  切替判定周期変更部
６８  初期設定部
７  ＲＯＭ
８  ＲＡＭ
１０１  第１のアンテナ
１０２  第２のアンテナ
１０３  アンテナ切替部
１０４  受信部
１０５  受信品質検出部
１０６  ＣＰＵ
１０７  ＲＯＭ
１０８  ＲＡＭ
【図１】
2007104035.tif 000003
【図２】
2007104035.tif 000004
【図３】
2007104035.tif 000005
【図４】
2007104035.tif 000006
【図５】
2007104035.tif 000007
【図６】
2007104035.tif 000008
【図７】
2007104035.tif 000009
【図８】
2007104035.tif 000010
【図９】
2007104035.tif 000011
【図１０】
2007104035.tif 000012
【図１１】
2007104035.tif 000013